(57)【要約】【課題】  発光ダイオードを光源とし、結露の発生を防止できる地上型標識灯を提供する。【解決手段】  地上型標識灯１は、発光ダイオード９を配設している光源ユニット２と、発光ダイオード９を点灯する点灯装置３と、一端側開口４ｃの取付け部１１に光源ユニット２を取り付けているとともに点灯装置３を収容し、他端側４ｂが地面に固定された固定物７に取り付けられ、内部が液密になるように固定物７内に配線された電気ケーブル１８が防水手段１６を介して点灯装置３に電気的に接続されている略筒状の灯体４と、灯体４内に配設された乾燥材５と、灯体４の一端側４ａに取り付けられた保護カバー６とを具備している。【選択図】図２
2012079496.tif 000002
【特許請求の範囲】
【請求項１】
発光ダイオードを配設している光源ユニットと；
前記発光ダイオードを点灯する点灯装置と；
一端側開口に取付け部を有し、この取付け部に前記光源ユニットを取り付けているとともに前記点灯装置を収容し、他端側が地面に固定された固定物に取り付けられ、内部が液密になるように前記固定物内に配線された電気ケーブルが防水手段を介して前記点灯装置に電気的に接続されている略筒状の灯体と；
この灯体内に配設された乾燥材と；
前記光源ユニットを内包し前記灯体の一端側開口を覆うようにして前記灯体の一端側に取り付けられた保護カバーと；
を具備していることを特徴とする地上型標識灯。
【発明の詳細な説明】
【技術分野】
【０００１】
本発明の一実施形態は、発光ダイオードを光源とし、発光ダイオードからの放射光を所定の方向に出射する地上型標識灯に関する。
【背景技術】
【０００２】
誘導路用標識灯のような地上型航空標識灯は、可折接手と呼ばれる固定物に取り付けられている。この可折接手は、万が一、航空機が標識灯に接触した際に、航空機に損害を与えることがないように自損する脆弱性を有している。そして、可折接手は、配管に繋がって設置されている。地上型航空標識灯は、配管からのケーブルにより内部に収容されている点灯装置に電力が供給されている。そして、光源として発光ダイオードが利用されている（例えば特許文献１参照。）。発光ダイオードは、消費電力が少なく、長寿命であり、地上型航空標識灯のメンテナンスの省力化を図ることができるので、発光ダイオードを光源とする地上型航空標識灯が検討されている。
【０００３】
しかし、地上型航空標識灯の内部は、可折接手の内部と連通している。また、配管内は、水分が充満しているため、可折接手を通して地上型航空標識灯の内部に湿気が侵入しやすい。このような環境下で、地上型航空標識灯が太陽光の直射光に曝されると、内部には湿気を含んだ暖められた空気が充満することがある。そして、この状況で夜間に急激に温度が低下すると、暖められた空気は、外気との境目で急激に冷やされて露点以下の温度となる。これにより、地上型航空標識灯の内部には、結露が発生することがある。特に、冬季などの寒冷環境で結露が発生しやすい。
【先行技術文献】
【特許文献】
【０００４】
【特許文献１】特開２０１０−１０８８３７号公報（第４頁、第１図）
【発明の概要】
【発明が解決しようとする課題】
【０００５】
発光ダイオードは、電球に比べて発熱量が非常に小さいので、その点灯に伴う発熱によって発生する結露を蒸発させることができない。そして、結露が光源ユニットに付着すると、所望の投光配光を阻害するおそれがある。また、点灯装置や充電部に結露が付着すると、短絡や地絡などの電気的事故が発生するという問題がある。
【０００６】
本発明は、発光ダイオードを光源とし、結露の発生を防止できる地上型標識灯を提供することを目的とする。
【課題を解決するための手段】
【０００７】
本実施形態の地上型標識灯は、光源ユニット、点灯装置、灯体、乾燥材および保護カバーを有して構成される。
【０００８】
実施形態の光源ユニットは、光源として発光ダイオードを配設している。
【０００９】
実施形態の点灯装置は、発光ダイオードを点灯するように形成されている。
【００１０】
実施形態の灯体は、一端側開口に取付け部を有している。この取付け部に光源ユニットを取り付けていて、内部に点灯装置を収容している。そして、他端側が地面に固定された固定物に取り付けられている。そして、内部が液密になるように固定物内に配線された電気ケーブルが防水パッキンを介して点灯装置に電気的に接続されている。
【００１１】
実施形態の乾燥材は、灯体の内部に配設されていて、内部の水分（湿気）を吸収する。
【００１２】
実施形態の保護カバーは、光源ユニットを内包し、灯体の一端側開口を覆うように灯体の一端側に取り付けられている。保護カバーは、発光ダイオードの放射光を透過させる透光性を有している。 
【発明の効果】
【００１３】
本実施形態によれば、灯体の内部は、防水手段により固定物の内部と液密にされるとともに乾燥材が配設されているので、灯体の内部に固定物の内部から水分が浸入することが防止され、固定物以外から灯体の内部に浸入した水分が乾燥材に吸収されて、灯体の内部に水分が結露を発生するようには存在しなくなり、これにより、光学系の配光が阻害されなくなり、点灯装置や充電部での電気的事故の発生を抑制することが期待できる。
【図面の簡単な説明】
【００１４】
【図１】本発明の実施例１を示す地上型標識灯の一部切り欠き概略正面図である。
【図２】同じく、地上型標識灯の概略正面断面図である。
【図３】同じく、保護カバーであり、（ａ）は概略正面断面図、（ｂ）は概略下面図である。
【発明を実施するための最良の形態】
【００１５】
以下、本発明の一実施の形態について、図面を参照して説明する。
【実施例１】
【００１６】
本発明の実施例１の地上型標識灯１は、図１ないし図３に示すように構成されている。図２において、地上型標識灯１は、地上型航空標識灯であり、光源ユニット２、点灯装置３、灯体４、乾燥材５および保護カバー６を有して形成されている。この地上型標識灯１は、灯体４が固定物としての可折接手７に固定され、光源ユニット２から放射された光を灯体４の所定方向を出射するものである。
【００１７】
光源ユニット２は、略円柱状の基台８を有する土台１２、基台８の上面に配設された発光ダイオード９および発光ダイオード９を覆うようにして基台８の上面に取り付けられたプリズム１０を有して形成されている。発光ダイオード９は、地上型標識灯１の設置場所に応じて、赤色、緑色、青色などの所定の色光を放射するＬＥＤパッケージを用いている。プリズム１０は、発光ダイオード９の放射光が水平方向側に放射されるように、発光ダイオード９の放射光を屈折させている。
【００１８】
光源ユニット２は、灯体４の一端側開口４ｃに配設されている。灯体４は、例えばアルミニウム(Ａｌ)からなり、一端側４ａの内側に、内方に突出する取付け部１１を略円筒状に形成している。この取付け部１１には、略円盤状の土台１２がねじ１３により固定されている。この土台１２は、灯体４の外方側に光源ユニット２の基台８を有している。
【００１９】
また、土台１２には、灯体４の内部に収容するようにして点灯装置３がねじ１４等により取り付けている。点灯装置３は、カレントトランスＴ１や発光ダイオード９を点灯する図示しない回路部品を有して形成されている。
【００２０】
そして、灯体４は、一端側４ａおよび他端側４ｂの内部を完全に遮断する台座部１５が形成されている。この台座部１５の中心位置に図示しない孔が形成されており、当該孔に防水手段としての防水型ケーブルクランプ１６が他端側４ｂから嵌め込まれている。防水型ケーブルクランプ１６は、一端側に雄コネクタ１７を有する電気ケーブル１８の他端側に設けられていて、電気ケーブル１８のリード線１９，１９を導出している。リード線１９，１９は、コネクタ２０，２０を介してカレントトランスＴ１に接続されている。防水型ケーブルクランプ１６により、一端側４ａの内部は、他端側４ｂの内部と液密となっている。
【００２１】
灯体４は、その他端側４ｂにおいて、一部が他端側４ｂの内部に挿入された略円筒状の固定物としての可折接手７に４本のボルト２１により取り付けられている。４本のボルト２１による取付位置は、図１に示すように、灯体４の周りに９０°毎に設けられている。灯体４は、ボルト２１を緩めることにより、可折接手７の回りに回動させることができ、また、可折接手７から取り外すことができる。そして、ボルト２１を可折接手７に押し付けることにより、灯体４の他端側４ｂが可折接手７に固定される。
【００２２】
図２において、可折接手７は、例えばアルミニウム(Ａｌ)からなり、地中に埋設された配管ボックス２２に立設するように固定されている。電気ケーブル１８は、可折接手７の内部を通過して配管ボックス２２内に導入されている。そして、電気ケーブル１８の雄コネクタ１７は、配管ボックス２２に導入された外部からの電気ケーブル２３の雌コネクタ２４に接続されている。電気ケーブル２３は、配管２５内に配線されている。これにより、点灯装置３は、外部の交流定電流電源に接続されている。そして、灯体４の台座部１５および防水型ケーブルクランプ１６により、点灯装置３が配設されている灯体４の一端側４ａの内部は、可折接手７の内部と液密になっている。
【００２３】
そして、灯体４の台座部１５には、乾燥材５が載置されている。すなわち、乾燥材５は、灯体４の一端側４ａの内部に配設されている。乾燥材５は、例えばシリカゲルであり、図示しない通気性の包装紙に収納されている。なお、乾燥材５は、灯体４の一端側４ａの内部に配設されていればよく、固定手段で固定されてもよい。乾燥材５は、固定されているのが好ましい。
【００２４】
そして、灯体４は、その一端側４ａの外面に環状の段部２６が形成されている。段部２６の外周面には、周回方向に亘る図示しないネジ部が形成されている。
【００２５】
保護カバー６は、透光性を有する例えばポリカーボネート（ＰＣ）樹脂からなり、図２に示すように、一端側６ａが閉塞された略円筒状に形成されている。そして、他端側６ｂの内周面には、灯体４の図示しないネジ部に螺合する図示しない被ネジ部２７が形成されている。被ネジ部２７は、図３（ｂ）に示すように、一連ではなく、断続的に形成されている。そして、保護カバー６の内面６ｃには、図３（ａ）に示すように、一端側６ａから他端側６ｂに沿うスリット２８が周回周りに等間隔で形成されている。また、保護カバー６は、他端側６ｂの端部６ｂｂが中間部６ｄよりも幾分拡径に形成されていて、他端側６ｂには、滑らかな段差２９が形成されている。
【００２６】
そして、保護カバー６は、被ネジ部２７が灯体４の段部２６のネジ部に螺合されることにより、図２に示すように、光源ユニット２を内包し灯体４の一端側開口４ｃを覆うようにして灯体４の一端側４ａに取り付けられる。また、保護カバー６の被ネジ部２７と灯体４のネジ部との螺合を解除することにより、保護カバー６は灯体４から取り外される。なお、保護カバー６は、防水パッキン３０を介して灯体４の一端側４ａに取り付けられている。
【００２７】
保護カバー６は、光源ユニット２の発光ダイオード９の放射光を透過して外部空間に出射させる。光源ユニット２は、プリズム１０により発光ダイオード９の放射光を略水平方向に放射させる。保護カバー６の内面６ｃに形成されたスリット２８は、発光ダイオード９の放射光を水平方向に拡散させる。こうして、外部から地上型標識灯１を見たときに、光源ユニット２の発光部が大きく見えて、発光ダイオード９の放射光の眩しさを低減させている。すなわち、グレアの発生を防止している。
【００２８】
また、保護カバー６は、他端側６ｂに滑らかな段差２９を形成して端部６ｂｂを形成していることにより、段差２９に積雪しにくくし、埃などが滞積しにくくしている。すなわち、保護カバー６の中間部６ｄまで、雪や埃などが積もらなくしており、発光ダイオード８の放射光により所定の配光が得られるようにしている。なお、保護カバー６は、端部６ｂｂおよび中間部６ｄが同径となるように形成されていてもよい。これにより、保護カバー６に雪や埃などがより積もらなくすることができる。
【００２９】
なお、灯体４には、図１に示すように、接地用端子３１が設けられている。
【００３０】
次に、本発明の実施例１の作用について述べる。
【００３１】
地上型標識灯１は、電気ケーブル１８の雄コネクタ１７を地面に埋設された配管ボックス２２内に導入された電気ケーブル２３の雌コネクタ２４に差し込み、固定物としての可折接手７を配管ボックス２２に固定する。これにより、可折接手７は、地面に固定される。そして、灯体４の他端側４ｂの内部に可折接手７を挿入し、４本のボルト２１により、灯体４の他端側４ｂを可折接手７に固定する。これにより、地上型標識灯１は、地面に立設される。
【００３２】
配管ボックス２２内は、通常、雨や雪などにより、水分が充満している。そして、配管ボックス２２の内部と可折接手７の内部は、連通しているので、可折接手７の内部は、湿気のある状態となっている。
【００３３】
そして、灯体４の一端側４ａの内部と他端側４ｂの内部は、台座部１５および防水型ケーブルクランプ１６により通気されないようにしている。すなわち、灯体４の一端側４ａの内部は、可折接手７の内部と液密になっている。したがって、可折接手７の内部の湿気が灯体４の一端側４ａの内部に侵入することが防止される。
【００３４】
そして、灯体４の一端側４ａの内部には、例えば保護カバー６を取り外したときに、水滴や汗などによる水分が浸入することがある。当該水分は、灯体４に保護カバー６が取り付けられた後に、一端側４ａの内部に配設されている乾燥材５に吸収される。これにより、灯体４の一端側４ａの内部には、地上型標識灯１の周りの外気温度が低下しても、結露が発生するような水分が存在しない状態となる。すなわち、灯体４の一端側４ａの内部は、結露が発生しないものである。
【００３５】
このように、灯体４の一端側４ａの内部に可折接手７の内部から水分が浸入することがなく、他の箇所から水分が侵入しても乾燥材５が水分を吸収するので、灯体４の一端側４ａの内部に配設されている点灯装置３や充電部に結露が付着しなくなる。これにより、点灯装置３や充電部での短絡や地絡などの電気的事故が防止される。また、灯体４の一端側４ａの内部に結露が発生するような水分が存在しないことにより、灯体４内に配設されている部材の劣化や腐食などが抑制される。また、結露は、保護カバー６内にも発生しにくくなり、光源ユニット２の投光配光が阻害されることが防止される。
【００３６】
上述したように、本実施形態によれば、灯体４の一端側４ａの内部が灯体４内に形成された台座部１５および防水手段としての防水型ケーブルクランプ１６により固定物としての可折接手７の内部と液密にされ、灯体４の一端側４ａの内部に乾燥材５が配設されているので、灯体４の一端側４ａの内部に可折接手７の内部から水分が浸入することが防止され、可折接手７以外から灯体４の一端側４ａの内部に浸入した水分が乾燥材５に吸収されて、灯体４の一端側４ａの内部に水分が結露を発生するようには存在しなくなり、これにより、発光ダイオード９の放射光による配光が阻害されることを防止することができ、点灯装置４や充電部での電気的事故の発生を抑制することができるという効果を有する。
【符号の説明】
【００３７】
１…地上型標識灯、  ２…光源ユニット、  ３…点灯装置、  ４…灯体、  ５…乾燥材、  ６…保護カバー、  ７…固定物としての可折接手、  ９…発光ダイオード、  １１…取付け部、  １６…防水手段としての防水型ケーブルクランプ
【図１】
2012079496.tif 000003
【図２】
2012079496.tif 000004
【図３】
2012079496.tif 000005